(57)【特許請求の範囲】
【請求項１】
内部に手指を自在に挿入できる円筒状の凹部と、
前記凹部内に設けられ、読取位置に配置された手指から指紋データを読み取るデータ読取手段と、
前記凹部内に設けられ、前記データ読取手段の読取位置に配置された前記手指を拘束する部位拘束手段と、
前記部位拘束手段を前記手指を移動自在とする状態と拘束する状態とに切換制御する状態切換手段とを具備し、
前記部位拘束手段は、流体の圧入および排出に対応して膨張および収縮する円環形状の一個のバルーン部材を有し、該バルーン部材によって、円柱状の前記手指の外周面を全周方向から前記手指を前記凹部の中央に配置するように拘束することを特徴とするデータ読取装置。
【請求項２】
前記状態切換手段が前記バルーン部材への前記流体の圧入および排出を切換制御する請求項１に記載のデータ読取装置。
【請求項３】
前記状態切換手段は、
前記バルーン部材に前記流体を圧入する流体圧入手段と、
前記流体圧入手段により前記バルーン部材に圧入された前記流体を排出させる流体排出手段と、
前記流体排出手段と前記流体圧入手段とを動作制御する動作制御手段と、
を具備している請求項２に記載のデータ読取装置。
【請求項４】
前記バルーン部材に圧入された前記流体の圧力を検出する内圧検出手段も具備しており、
前記内圧検出手段で検出された圧力に対応して前記動作制御手段が前記流体排出手段と前記流体圧入手段とを動作制御する請求項３に記載のデータ読取装置。
【請求項５】
前記流体が気体からなる請求項２ないし４の何れか一項に記載のデータ読取装置。
【請求項６】
前記気体が外気からなる請求項５に記載のデータ読取装置。
【請求項７】
前記バルーン部材の表面に前記手指との摩擦抵抗を増加させる凹凸が形成されている請求項２ないし６の何れか一項に記載のデータ読取装置。
【請求項８】
前記手指の前記読取位置への配置を検知する配置検知手段も具備しており、
前記配置検知手段の検知に対応して前記状態切換手段が前記部位拘束手段を切換制御する請求項１ないし７の何れか一項に記載のデータ読取装置。
【請求項９】
前記配置検知手段が前記データ読取手段への前記手指の接触を検知する請求項８に記載のデータ読取装置。
【発明の詳細な説明】
【０００１】
本発明は、人体部位から生体データを読み取るデータ読取装置に関する。
【０００２】
【従来の技術】
現在、被験者の照合などに利用するため、被験者から指紋画像や眼紋画像などの生体データをデータ読取するデータ読取装置がある。例えば、指紋画像を読取走査するデータ読取装置は、光学スキャナの読取位置に手指の指紋部分を配置し、この状態で光学スキャナを作動させて指紋画像を読取走査する。
【０００３】
【発明が解決しようとする課題】
しかし、被験者が刑事事件の容疑者や子供などの場合、指紋画像の読取走査に非協力的なことがあり、このような場合、手指の指紋部分をデータ読取装置の読取位置に所定時間まで配置することが困難である。例えば、特開平１０−１９８７８６号公報に開示されたデータ読取装置では、アーチ形状の弾性部材により手指を読取位置に拘束するが、これでは非協力的な被験者の手指を安全かつ確実に読取位置に所定時間まで配置することは困難である。
【０００４】
本発明は上述のような課題に鑑みてなされたものであり、たとえ被験者が非協力的な場合でも、手指を読取位置に安全かつ確実に拘束して指紋データを良好に読み取ることができる、データ読取装置を提供することを目的とする。
【０００５】
【課題を解決するための手段】
本発明のデータ読取装置は、データ読取手段、部位拘束手段、状態切換手段、を具備しており、人体の手指から指紋データを読み取る。その場合、状態切換手段が手指を移動自在とする初期状態に部位拘束手段を切換制御するので、この初期状態で手指がデータ読取手段の読取位置に配置される。すると、状態切換手段が手指を拘束する状態に部位拘束手段を切換制御するので、この部位拘束手段がデータ読取手段の読取位置に手指を拘束する。このように読取位置に拘束された手指からデータ読取手段が指紋データを読み取ることにより、手指が読取位置に拘束された状態で指紋データが読み取られる。
【０００６】
また、本発明の他の形態としては、膨張および収縮する部位拘束手段のバルーン部材への流体の圧入および排出を状態切換手段が切換制御することにより、手指がバルーン部材の膨張により読取位置に拘束されるとともに収縮により解放される。
【０００７】
また、状態切換手段が流体圧入手段と流体排出手段と動作制御手段とを具備しており、流体圧入手段によるバルーン部材への流体の圧入と、流体排出手段によるバルーン部材に圧入された流体の排出とを、動作制御手段が動作制御することにより、手指を拘束および解放するバルーン部材の膨張および収縮が制御される。
【０００８】
また、バルーン部材に圧入された流体の圧力を内圧検出手段が検出し、この検出された圧力に対応して動作制御手段が流体排出手段と流体圧入手段とを動作制
御することにより、手指を膨張により拘束するとともに収縮により解放するバルーン部材の圧力が制御される。
【０００９】
また、流体が気体からなることにより、圧縮性流体でバルーン部材が膨張されるので、手指に過剰な圧力が作用しない。
【００１０】
また、気体が外気からなることにより、
気体を封入した専用のタンクなどを用意する必要がない。
【００１１】
また、バルーン部材の表面に手指との摩擦抵抗を増加させる凹凸が形成されていることにより、膨張したバルーン部材が手指を拘束する摩擦抵抗が凹凸により増大する。
【００１２】
また、手指の読取位置への配置を配置検知手段が検知し、この検知に対応して状態切換手段が部位拘束手段を切換制御することにより、読取位置に配置された手指を部位拘束手段が自動的に拘束する。
【００１３】
また、配置検知手段がデータ読取手段への手指の接触を検知することにより、データ読取手段に接触した手指を部位拘束手段が自動的に拘束する。
【００１４】
また、部位拘束手段が円柱状の手指の外周面を全周方向から拘束し、この拘束された手指からデータ読取手段が指紋画像を読取走査することにより、人体部位である手指から生体データとして指紋画像が読取走査される。
【００１５】
なお、本発明で云う各種手段は、その機能を実現するように形成されていれば良く、例えば、専用のハードウェア、適正な機能がプログラムにより付与されたコンピュータ、適正なプログラムによりコンピュータの内部に実現された機能、これらの組み合わせ、等を許容する。また、本発明で言う各種手段は、個々に独立した存在である必要もなく、ある手段が他の手段の一部であるようなことも許容する。
【００１７】
【発明の実施の形態】
本発明の実施の一形態を図面を参照して以下に説明する。本発明のデータ読取装置１００は、図１および図２に示すように、読取装置本体２００を具備しており、図３に示すように、この読取装置本体２００に動作制御手段としてパーソナルコンピュータなどのデータ処理装置３００が接続されている。
【００１８】
読取装置本体２００は、直方体状の本体ハウジング２０１の上面に、手指Ｆを自在に挿入できる円筒形状の凹部２０２が斜め下方に一体に形成されており、この凹部２０２の上部内面には、図４に示すように、部位拘束手段として三個のバルーン部材２０３が三方向に装着されている。
【００１９】
これらのバルーン部材２０３は、柔軟で手指Ｆとの摩擦抵抗が大きいゴム材で形成されており、流体である外気が圧入および排出されることで膨張および収縮する。このバルーン部材２０３の表面には凹凸２０４が形成されており、この凹凸２０４は、凹部２０２に挿入された手指Ｆを解放しにくい逆棘様の断面形状に成形されている。
【００２０】
また、凹部２０２の下部上面には、配置検知手段である赤外線センサ２０５が配置されており、凹部２０２の下部下面には、データ読取手段である光学スキャナ２０６が配置されている。赤外線センサ２０５は、凹部２０２に挿入された手指Ｆを検知し、光学スキャナ２０６は、その読取位置である表面に接触した手指Ｆから生体データである指紋画像を読取走査する。
【００２１】
バルーン部材２０３には、流体圧入手段であるコンプレッサ２０７と流体排出手段である排気弁２０８とが配管されており、バルーン部材２０３の内部には、内圧検出手段である圧力センサ２０９が挿入されている。コンプレッサ２０７は、バルーン部材２０３に外気を圧入し、排気弁２０８は、バルーン部材２０３に圧入された外気を排出し、圧力センサ２０９は、バルーン部材２０３に圧入された外気の圧力を検出する。
【００２２】
図４に示すように、読取装置本体２００の赤外線センサ２０５と光学スキャナ２０６とコンプレッサ２０７と排気弁２０８と圧力センサ２０９とはデータ処理装置３００に接続されており、このデータ処理装置３００は、インストールされているコンピュータプログラムに対応して動作することにより、赤外線センサ２０５と圧力センサ２０９との検出データに対応してコンプレッサ２０７と排気弁２０８と光学スキャナ２０６とを動作制御し、この光学スキャナ２０６から指紋画像をデータ取得する。
【００２３】
上述のような構成において、本実施の形態のデータ読取装置１００は、被験者の手指Ｆから指紋画像を読取走査することができる。その場合、図５に示すように、最初はデータ処理装置３００が読取装置本体２００の排気弁２０８を開放しているので(ステップＳ１)、三個のバルーン部材２０３が収縮しており、本体ハウジング２０１の凹部２０２に手指Ｆを自在に挿入することができる。
【００２４】
そこで、被験者が手指Ｆを凹部２０２に所定位置まで挿入すると、これが赤外線センサ２０５で検知されてデータ処理装置３００に通知される(ステップＳ２)。すると、このデータ処理装置３００は、排気弁２０８を閉止してから(ステップＳ３)、コンプレッサ２０７を作動させるので(ステップＳ４)、これでバルーン部材２０３に外気が圧入される。
【００２５】
このとき、バルーン部材２０３の内圧を圧力センサ２０９が常時検出してデータ処理装置３００に通知するので、このデータ処理装置３００は、バルーン部材２０３の内圧が所定の下限圧力より上昇するまでコンプレッサ２０７による加圧を実行させる(ステップＳ５，Ｓ４)。
【００２６】
ただし、バルーン部材２０３の内圧が所定の上限圧力より上昇すると排気弁２０８を開放するので(ステップＳ６，Ｓ７)、これでバルーン部材２０３の内圧は下限圧力より高圧で上限圧力より低圧な所定圧力に制御される。このように所定圧力の外気が圧入されたバルーン部材２０３は膨張して手指Ｆを適正な圧力で拘束するので、これで手指Ｆが所定の読取位置に固定されることになる。
【００２７】
上述のようにバルーン部材２０３の圧力制御を完了したデータ処理装置３００は(ステップＳ４〜Ｓ８)、光学スキャナ２０６を動作制御して手指Ｆから指紋画像を読取走査させる(ステップＳ９，Ｓ１０)、この読取走査された指紋画像を被験者の識別データなどとともにデータ保存する(ステップＳ１１)。
【００２８】
なお、このデータ保存が完了すると、データ処理装置３００は読取装置本体２００の排気弁２０８を開放するので(ステップＳ１２)、これでバルーン部材２０７は収縮して被験者の手指Ｆは拘束から解放されることになり、この手指Ｆの離脱を赤外線センサ２０５で検知してからデータ処理装置３００は処理動作を終了する(ステップＳ１３)。
【００２９】
本形態のデータ読取装置１００では、上述のように手指Ｆを読取位置に拘束した状態で生体データを読み取るので、被験者が非協力的な場合などでも、生体データを良好に読み取ることができる。特に、手指Ｆをバルーン部材２０３の膨張により読取位置に拘束するので、外形が一様ではない手指Ｆを簡単な構造で安全かつ確実に拘束することができ、このように拘束した手指Ｆを収縮により簡単に解放することもできる。
【００３０】
しかも、バルーン部材２０３に圧入された流体の圧力を圧力センサ２０９が検出し、この検出された圧力に対応してデータ処理装置３００が排気弁２０８とコンプレッサ２０７とを動作制御することにより、バルーン部材２０３の膨張および収縮による手指Ｆの拘束および解放を的確に制御することができ、手指Ｆを安全かつ確実に拘束および解放することができる。
【００３１】
さらに、三個のバルーン部材２０３が三方向から手指Ｆの外周面を拘束するので、手指Ｆを安全かつ確実に拘束することができる。特に、手指Ｆを凹部２０２の中央に配置することができるので、手指Ｆの適切な位置から指紋画像を読取走査することができる。
【００３２】
しかも、バルーン部材２０３の表面に手指Ｆとの摩擦抵抗を増加させる凹凸２０４が形成されているので、膨張したバルーン部材２０３が手指Ｆを拘束する摩擦抵抗を凹凸２０４により増大させることができ、手指Ｆを良好に拘束することができる。
【００３３】
さらに、データ処理装置３００は、手指Ｆを赤外線センサ２０５が検知するとバルーン部材２０３を膨張させ、光学スキャナ２０６による読取走査が完了するとバルーン部材２０３を収縮させるので、煩雑な操作を必要とすることなく手指Ｆを自動的に拘束および解放することができる。
【００３４】
特に、バルーン部材２０３を圧縮性流体である外気で膨張させるので、手指Ｆに過剰な圧力が作用することを防止でき、気体を封入した専用のタンクなどを用意する必要がないので、簡単な構造でバルーン部材２０３を膨張させることができる。
【００３５】
なお、本発明は上記形態に限定されるものではなく、その要旨を逸脱しない範囲で各種の変形を許容する。例えば、上記形態では手指Ｆをバルーン部材２０３の膨張および収縮で拘束および解放することを例示したが、この手指Ｆの拘束および解放を伸縮自在なベルト部材や変位自在な軟質パッドで実行することも可能である(図示せず)。
【００３６】
また、上記形態ではバルーン部材２０３の内圧を圧力センサ２０９で検出してデータ処理装置３００により制御することを例示したが、例えば、圧力一定のガスボンベなどの加圧源を用意して内圧を検出することなくバルーン部材２０３に流体を所定圧力で圧入するようなことも可能である。
【００３７】
さらに、上記形態では光学スキャナ２０６の読取位置に適切に配置された手指Ｆをバルーン部材２０３で拘束することを例示したが、例えば、図６に示すように、光学スキャナ２０６をベルトコンベア２１１などで変位自在に支持し、所定位置に拘束された手指Ｆに光学スキャナ２０６を圧接させることも可能である。この場合、光学スキャナ２０６の読取位置を微調整できるので、指紋画像の読取精度を向上させることができ、例えば、子供などのように手指Ｆが極端に短い場合でも指紋画像を良好に読取走査することができる。
【００３８】
また、上記形態では三個のバルーン部材２０３で手指Ｆを三方向から拘束することを例示したが、図７に示すように、円環形状の一個のバルーン部材２１２で手指Ｆを全周方向から拘束することも可能である。さらに、上記形態ではバルーン部材２１２を外気で簡単かつ安全に膨張させることを例示したが、バルーン部材２１２を専用のガスなどで膨張させることも可能であり、水や油などの液体で膨張させることも可能である。
【００３９】
さらに、上記形態ではデータ処理装置３００が手指Ｆを赤外線センサ２０５で検知するとバルーン部材２０３を自動的に膨張させ、光学スキャナ２０６により読取走査が完了するとバルーン部材２０３を自動的に収縮させることを例示したが、このようなバルーン部材２０３の膨張および収縮を作業者が手動操作することも可能である。
【００４０】
また、上記形態では手指Ｆが光学スキャナ２０６の読取位置に配置されたことを赤外線センサ２０５で検知することを例示したが、例えば、光学スキャナ２０６の台座に圧力センサ(図示せず)などを挿入しておき、この圧力センサで光学スキャナ２０６への手指Ｆの接触を検知することも可能である。
【００４１】
さらに、上記形態では手指Ｆから生体データである指紋画像をデータ読取するデータ読取手段として光学スキャナ２０６を例示したが、例えば、このようなデータ読取手段を、静電スキャナ、感圧スキャナ、感熱スキャナ、等とすることも可能である(図示せず)。
【００４２】
また、上記形態ではデータ読取装置１００が人体部位である手指Ｆをバルーン部材２０３で拘束して生体データである指紋画像を読取走査することを例示したが、図８に例示するデータ読取装置４００のように、人体部位である頭部Ｈをバルーン部材４０１で拘束して生体データである眼紋画像を読取走査することなども可能である。
【００４３】
【発明の効果】
本発明のデータ読取装置では、手指を読取位置に拘束した状態で指紋データを読み取ることにより、被験者が非協力的な場合などでも、生体データを良好に読み取ることができる。
【００４４】
また、本発明の他の形態としては、手指がバルーン部材の膨張により読取位置に拘束されるとともに収縮により解放されることにより、外形が一様ではない手指を簡単な構造で安全かつ確実に拘束することができる。
【００４５】
また、流体圧入手段によるバルーン部材への流体の圧入と、流体排出手段によるバルーン部材に圧入された流体の排出とを、動作制御手段が動作制御することにより、バルーン部材の膨張および収縮による手指の拘束および解放を的確に制御することができる。
【００４６】
また、バルーン部材に圧入された流体の圧力を内圧検出手段が検出し、この検出された圧力に対応して動作制御手段が流体排出手段と流体圧入手段とを動作制御することにより、膨張および収縮するバルーン部材の圧力を制御して手指を安全かつ確実に拘束および解放することができる。
【００４７】
また、流体が気体からなることにより、圧縮性流体でバルーン部材を膨張させることができるので、手指に過剰な圧力が作用することを防止できる。
【００４８】
また、気体が外気からなることにより、
気体を封入した専用のタンクなどを用意する必要がないので、簡単な構造でバルーン部材を膨張させることができる。
【００４９】
また、バルーン部材の表面に手指との摩擦抵抗を増加させる凹凸が形成されていることにより、膨張したバルーン部材が手指を拘束する摩擦抵抗を凹凸により増大させることができるので、手指を良好に拘束することができる。
【００５０】
また、手指の読取位置への配置を配置検知手段が検知し、この検知に対応して状態切換手段が部位拘束手段を切換制御することにより、読取位置への配置に対応して手指を自動的に拘束することができるので、煩雑な操作を必要とすることなく手指を良好に読取位置に拘束することができる。
【００５１】
また、配置検知手段がデータ読取手段への手指の接触を検知することにより、データ読取手段への接触に対応して手指を自動的に拘束することができ、読取位置への手指の配置を簡単な構造で検知することができる。
【００５２】
また、部位拘束手段が円柱状の手指の外周面を全周方向から拘束し、この拘束された手指からデータ読取手段が指紋画像を読取走査することにより、人体部位である手指から生体データとして指紋画像を読取走査することができる。
【図面の簡単な説明】
【図１】本発明の実施の一形態のデータ読取装置の要部を示す模式図である。
【図２】読取装置本体の内部構造を示す縦断側面図である。
【図３】データ読取装置の全体構造を示すブロック図である。
【図４】部位拘束手段である三個のバルーン部材の配置を示す平面図である。
【図５】データ処理装置のデータ処理方法を示すフローチャートである。
【図６】第一の変形例のデータ読取手段である光学スキャナの部分を示す側面図である。
【図７】第二の変形例のバルーン部材の形状を示す平面図である。
【図８】第三の変形例のデータ読取装置の外観を示す斜視図である。
【符号の説明】
１００，４００    データ読取装置
２００    読取装置本体
２０３，２１２，４０１    部位拘束手段であるバルーン部材
２０４    凹凸
２０５    配置検知手段である赤外線センサ
２０６    データ読取手段である光学スキャナ
２０７    流体圧入手段であるコンプレッサ
２０８    流体排出手段である排気弁
２０９    内圧検出手段である圧力センサ
３００    データ処理装置
【図１】
0003789328.tif 000002
【図２】
0003789328.tif 000003
【図３】
0003789328.tif 000004
【図４】
0003789328.tif 000005
【図５】
0003789328.tif 000006
【図６】
0003789328.tif 000007
【図７】
0003789328.tif 000008
【図８】
0003789328.tif 000009